(57)【要約】【課題】実際にその場所を利用するユーザの流れを意識して、動的に表示コンテンツを変えていくといった最適化を行うことができる情報提供システムを提供する。【解決手段】情報提供システム１００は、情報表示装置３００Ａに表示されているコンテンツの情報を当該情報表示装置３００Ａに要求し、情報表示装置３００Ａからのコンテンツの情報を受信して記憶部２０４に記憶し、情報表示装置３００Ａからコンテンツの情報を要求された際に、当該コンテンツの情報を情報表示装置３００Ａに送信する移動端末２００と、コンテンツを表示し、移動端末２００からの当該コンテンツの情報の要求を受け付けた際に、当該コンテンツの情報を当該移動端末２００に送信し、移動端末２００に記憶されているコンテンツの情報を当該移動端末２００に要求し、移動端末２００からのコンテンツの情報を受信して記憶部３０６Ａに記憶する情報表示装置３００Ａとを備える。【選択図】図２
2011233095.tif 000002
【特許請求の範囲】
【請求項１】
ユーザによる操作入力に基づいて、情報表示装置に表示されているコンテンツの情報を当該情報表示装置に要求する第１の要求部と、
前記第１の要求部による前記要求により前記情報表示装置から送信されてくる前記コンテンツの情報を受信する第１の受信部と、
前記第１の受信部が受信した前記コンテンツの情報を記憶する第１の記憶部と、
前記情報表示装置から前記第１の記憶部に記憶されている前記コンテンツの情報を要求された際に、当該コンテンツの情報を当該情報表示装置に送信する第１の送信部と、
を備える、移動端末と、
前記コンテンツの表示を行う第１の表示部と、
前記移動端末の前記第１の要求部による前記要求を受け付けた際に、前記第１の表示部に表示されている前記コンテンツの情報を当該移動端末に送信する第２の送信部と、
前記移動端末の前記第１の記憶部に記憶されている前記コンテンツの情報を当該移動端末に要求する第２の要求部と、
前記第２の要求部による前記要求により前記移動端末から送信されてくる前記コンテンツの情報を受信する第２の受信部と、
前記第２の受信部が受信した前記コンテンツの情報を記憶する第２の記憶部と、
を備える、前記情報表示装置と、
を備える、情報提供システム。
【請求項２】
前記情報表示装置は、さらに、前記第２の記憶部に記憶されている前記コンテンツの情報の分析を行う第１の分析部と、前記第１の分析部による分析結果に基づいて、前記第１の表示部に表示させるコンテンツを変更する第１の変更部とを備える、請求項１に記載の情報提供システム。
【請求項３】
前記第１の変更部は、前記第１の表示部に表示させるコンテンツの表示頻度を変更する、請求項２に記載の情報提供システム。
【請求項４】
前記第１の変更部は、前記第１の表示部に表示させるコンテンツに関連する関連コンテンツにおいても当該表示部に表示させるようにする、請求項２に記載の情報提供システム。
【請求項５】
さらに、前記情報表示装置の前記第２の記憶部に記憶されている前記コンテンツの情報、および当該情報表示装置の設置場所を表す場所情報を当該情報表示装置から取得する取得部と、前記取得部が取得した前記コンテンツの情報の分析を行う第２の分析部と、前記第２の分析部による分析結果、および前記取得部が取得した前記場所情報に基づいて、前記情報表示装置の設置場所に近い場所に設置された他の情報表示装置に提供すべきコンテンツを決定して、当該決定した提供すべきコンテンツを当該他の情報表示装置に提供する提供部とを備える、サーバを備える、請求項１に記載の情報提供システム。
【請求項６】
前記コンテンツの情報は、前記コンテンツのＩＤおよび前記コンテンツのデータの少なくともいずれか一方である、請求項１に記載の情報提供システム。
【請求項７】
情報表示装置において、コンテンツの表示を行う第１の表示ステップと、
移動端末において、ユーザによる操作入力に基づいて、前記情報表示装置に表示されている前記コンテンツの情報を当該情報表示装置に要求する第１の要求ステップと、
前記情報表示装置において、前記第１の要求ステップでの前記要求を受け付けた際に、当該情報表示装置に表示されている前記コンテンツの情報を前記移動端末に送信する第１の送信ステップと、
前記移動端末において、前記第１の要求ステップでの前記要求により前記情報表示装置から送信されてくる前記コンテンツの情報を受信する第１の受信ステップと、
前記移動端末において、前記第１の受信ステップで受信した前記コンテンツの情報を第１の記憶部に記憶させる第１の記憶ステップと、
前記情報表示装置において、前記移動端末の前記第１の記憶部に記憶されている前記コンテンツの情報を当該移動端末に要求する第２の要求ステップと、
前記移動端末において、前記情報表示装置から前記第１の記憶部に記憶されている前記コンテンツの情報を要求された際に、当該コンテンツの情報を当該情報表示装置に送信する第２の送信ステップと、
前記情報表示装置において、前記第２の要求ステップでの前記要求により前記移動端末から送信されてくる前記コンテンツの情報を受信する第２の受信ステップと、
前記情報表示装置において、前記第２の受信ステップで受信した前記コンテンツの情報を第２の記憶部に記憶させる第２の記憶ステップと、
を有する、情報提供方法。
【請求項８】
コンテンツの表示を行う第２の表示部と、
移動端末から送信されてくる前記第２の表示部に表示されている前記コンテンツの情報の要求を受け付けた際に、当該コンテンツの情報を当該移動端末に送信する第３の送信部と、
前記移動端末の第３の記憶部に記憶されている前記コンテンツの情報を当該移動端末に要求する第３の要求部と、
前記第３の要求部による前記要求により前記移動端末から送信されてくる前記コンテンツの情報を受信する第３の受信部と、
前記第３の受信部が受信した前記コンテンツの情報を記憶する第３の記憶部と、
を備える、情報表示装置。
【請求項９】
さらに、前記第３の記憶部に記憶されている前記コンテンツの情報の分析を行う第３の分析部と、前記第３の分析部による分析結果に基づいて、前記第２の表示部に表示させるコンテンツを変更する第２の変更部とを備える、請求項８に記載の情報表示装置。
【請求項１０】
前記第２の変更部は、前記第２の表示部に表示させるコンテンツの表示頻度を変更する、請求項９に記載の情報表示装置。
【請求項１１】
前記第２の変更部は、前記第２の表示部に表示させるコンテンツに関連する関連コンテンツにおいても当該第２の表示部に表示させるようにする、請求項９に記載の情報表示装置。
【請求項１２】
前記コンテンツの情報は、前記コンテンツのＩＤおよび前記コンテンツのデータの少なくともいずれか一方である、請求項８に記載の情報表示装置。
【請求項１３】
コンテンツの表示を行う第２の表示ステップと、
移動端末から送信されてくる前記第２の表示ステップで表示されている前記コンテンツの情報の要求を受け付けた際に、当該コンテンツの情報を当該移動端末に送信する第３の送信ステップと、
前記移動端末の第３の記憶部に記憶されている前記コンテンツの情報を当該移動端末に要求する第３の要求ステップと、
前記第３の要求ステップでの前記要求により前記移動端末から送信されてくる前記コンテンツの情報を受信する第３の受信ステップと、
前記第３の受信ステップで受信した前記コンテンツの情報を第３の記憶部に記憶させる第３の記憶ステップと、
を有する、情報表示方法。
【発明の詳細な説明】
【技術分野】
【０００１】
本発明は、情報提供システム、情報提供方法、情報表示装置および情報表示方法に関する。
【背景技術】
【０００２】
例えば、デジタルサイネージ（ｄｉｇｉｔａｌ  ｓｉｇｎａｇｅ）などと呼ばれているシステムは、公共施設や店舗などの商業施設などに設置された液晶ディスプレイなどの情報表示装置に、映像や文字情報などのコンテンツを表示する（例えば、特許文献１参照。）。デジタルサイネージによる情報表示装置は、例えば、広告や緊急情報等を表示する。情報表示装置の表示に用いられるコンテンツのデータは、情報表示装置毎にメモリカードを介して記録されてもよいし、ネットワークを経由して情報表示装置と接続されたサーバから配信されてもよい。
【先行技術文献】
【特許文献】
【０００３】
【特許文献１】特開２０１０−０８６２８０号公報
【発明の概要】
【発明が解決しようとする課題】
【０００４】
ところで、従来のデジタルサイネージ用やパブリックビューイング用の情報表示装置などは、広告主が設定したコンテンツを流しているだけであり、実際にその情報表示装置が設置されている場所に集まっているユーザにとって有益なコンテンツが流れているとは必ずしも言えなかった。
【０００５】
また、視線検出などを利用してその場所での情報表示装置のディスプレイへの注目度を測定して、その場所に集まっているユーザにとって有益なコンテンツであるか否かを判断するなどの手法はいくつか提案されている。しかしながら、上記手法では、実際にコンテンツを見た後のユーザの流れなどを把握することはできないため、コンテンツを流すことによる効果測定としては不十分であった。
【０００６】
したがって、従来の技術では、実際にその場所を利用するユーザの流れを意識して、動的に表示コンテンツを変更していくといった最適化が困難であるという問題があった。
【０００７】
そこで、本発明は、上記問題に鑑みてなされたものであり、本発明の目的とするところは、実際にその場所を利用するユーザの流れを意識して、動的に表示コンテンツを変えていくといった最適化を行うことが可能な、新規かつ改良された情報提供システム、情報提供方法、情報表示装置および情報表示方法を提供することにある。
【課題を解決するための手段】
【０００８】
上記課題を解決するために、本発明のある観点によれば、ユーザによる操作入力に基づいて、情報表示装置に表示されているコンテンツの情報を当該情報表示装置に要求する第１の要求部と、前記第１の要求部による前記要求により前記情報表示装置から送信されてくる前記コンテンツの情報を受信する第１の受信部と、前記第１の受信部が受信した前記コンテンツの情報を記憶する第１の記憶部と、前記情報表示装置から前記第１の記憶部に記憶されている前記コンテンツの情報を要求された際に、当該コンテンツの情報を当該情報表示装置に送信する第１の送信部と、を備える、移動端末と、前記コンテンツの表示を行う第１の表示部と、前記移動端末の前記第１の要求部による前記要求を受け付けた際に、前記第１の表示部に表示されている前記コンテンツの情報を当該移動端末に送信する第２の送信部と、前記移動端末の前記第１の記憶部に記憶されている前記コンテンツの情報を当該移動端末に要求する第２の要求部と、前記第２の要求部による前記要求により前記移動端末から送信されてくる前記コンテンツの情報を受信する第２の受信部と、前記第２の受信部が受信した前記コンテンツの情報を記憶する第２の記憶部と、を備える、前記情報表示装置と、を備える、情報提供システムが提供される。
【０００９】
前記情報表示装置は、さらに、前記第２の記憶部に記憶されている前記コンテンツの情報の分析を行う第１の分析部と、前記第１の分析部による分析結果に基づいて、前記第１の表示部に表示させるコンテンツを変更する第１の変更部とを備えてもよい。
【００１０】
前記第１の変更部は、前記第１の表示部に表示させるコンテンツの表示頻度を変更してもよい。
【００１１】
前記第１の変更部は、前記第１の表示部に表示させるコンテンツに関連する関連コンテンツにおいても当該表示部に表示させるようにしてもよい。
【００１２】
さらに、前記情報表示装置の前記第２の記憶部に記憶されている前記コンテンツの情報、および当該情報表示装置の設置場所を表す場所情報を当該情報表示装置から取得する取得部と、前記取得部が取得した前記コンテンツの情報の分析を行う第２の分析部と、前記第２の分析部による分析結果、および前記取得部が取得した前記場所情報に基づいて、前記情報表示装置の設置場所に近い場所に設置された他の情報表示装置に提供すべきコンテンツを決定して、当該決定した提供すべきコンテンツを当該他の情報表示装置に提供する提供部とを備える、サーバを備えてもよい。
【００１３】
前記コンテンツの情報は、前記コンテンツのＩＤおよび前記コンテンツのデータの少なくともいずれか一方であってもよい。
【００１４】
また、上記課題を解決するために、本発明の別の観点によれば、情報表示装置において、コンテンツの表示を行う第１の表示ステップと、移動端末において、ユーザによる操作入力に基づいて、前記情報表示装置に表示されている前記コンテンツの情報を当該情報表示装置に要求する第１の要求ステップと、前記情報表示装置において、前記第１の要求ステップでの前記要求を受け付けた際に、当該情報表示装置に表示されている前記コンテンツの情報を前記移動端末に送信する第１の送信ステップと、前記移動端末において、前記第１の要求ステップでの前記要求により前記情報表示装置から送信されてくる前記コンテンツの情報を受信する第１の受信ステップと、前記移動端末において、前記第１の受信ステップで受信した前記コンテンツの情報を第１の記憶部に記憶させる第１の記憶ステップと、前記情報表示装置において、前記移動端末の前記第１の記憶部に記憶されている前記コンテンツの情報を当該移動端末に要求する第２の要求ステップと、前記移動端末において、前記情報表示装置から前記第１の記憶部に記憶されている前記コンテンツの情報を要求された際に、当該コンテンツの情報を当該情報表示装置に送信する第２の送信ステップと、前記情報表示装置において、前記第２の要求ステップでの前記要求により前記移動端末から送信されてくる前記コンテンツの情報を受信する第２の受信ステップと、前記情報表示装置において、前記第２の受信ステップで受信した前記コンテンツの情報を第２の記憶部に記憶させる第２の記憶ステップと、を有する、情報提供方法が提供される。
【００１５】
また、上記課題を解決するために、本発明の別の観点によれば、コンテンツの表示を行う第２の表示部と、移動端末から送信されてくる前記第２の表示部に表示されている前記コンテンツの情報の要求を受け付けた際に、当該コンテンツの情報を当該移動端末に送信する第３の送信部と、前記移動端末の第３の記憶部に記憶されている前記コンテンツの情報を当該移動端末に要求する第３の要求部と、前記第３の要求部による前記要求により前記移動端末から送信されてくる前記コンテンツの情報を受信する第３の受信部と、前記第３の受信部が受信した前記コンテンツの情報を記憶する第３の記憶部と、を備える、情報表示装置が提供される。
【００１６】
さらに、前記第３の記憶部に記憶されている前記コンテンツの情報の分析を行う第３の分析部と、前記第３の分析部による分析結果に基づいて、前記第２の表示部に表示させるコンテンツを変更する第２の変更部とを備えてもよい。
【００１７】
前記第２の変更部は、前記第２の表示部に表示させるコンテンツの表示頻度を変更してもよい。
【００１８】
前記第２の変更部は、前記第２の表示部に表示させるコンテンツに関連する関連コンテンツにおいても当該第２の表示部に表示させるようにしてもよい。
【００１９】
前記コンテンツの情報は、前記コンテンツのＩＤおよび前記コンテンツのデータの少なくともいずれか一方であってもよい。
【００２０】
また、上記課題を解決するために、本発明の別の観点によれば、コンテンツの表示を行う第２の表示ステップと、移動端末から送信されてくる前記第２の表示ステップで表示されている前記コンテンツの情報の要求を受け付けた際に、当該コンテンツの情報を当該移動端末に送信する第３の送信ステップと、前記移動端末の第３の記憶部に記憶されている前記コンテンツの情報を当該移動端末に要求する第３の要求ステップと、前記第３の要求ステップでの前記要求により前記移動端末から送信されてくる前記コンテンツの情報を受信する第３の受信ステップと、前記第３の受信ステップで受信した前記コンテンツの情報を第３の記憶部に記憶させる第３の記憶ステップと、を有する、情報表示方法が提供される。
【発明の効果】
【００２１】
以上説明したように本発明によれば、実際にその場所を利用するユーザの流れを意識して、動的に表示コンテンツを変更していくといった最適化を行うことができる。
【図面の簡単な説明】
【００２２】
【図１】本発明の第１の実施の形態に係る情報提供システムの構成を概略的に示す説明図である。
【図２】図１の情報提供システムにおける移動端末および情報表示装置の機能構成を概略的に示すブロック図である。
【図３】図１の情報提供システムが実行する情報提供処理のシーケンス図である。
【図４】図３の情報提供処理におけるステップＳ３０８で実行される第１の表示コンテンツ変更処理のフローチャートである。
【図５】図３の情報提供処理におけるステップＳ３０８で実行される第２の表示コンテンツ変更処理のフローチャートである。
【図６】図３の情報提供処理におけるステップＳ３０８で実行される第３の表示コンテンツ変更処理のフローチャートである。
【図７】本発明の第２の実施の形態に係る情報提供システムの構成を概略的に示す説明図である。
【図８】図７の情報提供システムにおける移動端末、情報表示装置およびサーバの機能構成を概略的に示すブロック図である。
【図９】図７の情報提供システムにおけるサーバが実行するコンテンツ提供処理のフローチャートである。
【図１０】上述した各実施の形態に係る情報提供システムの実施例を説明するための説明図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
なお、説明は以下の順序で行うものとする。
１．情報提供システムの構成（第１の実施の形態）
２．情報提供処理
３．情報提供システムの構成（第２の実施の形態）
４．コンテンツ提供処理
５．実施例
【００２５】
［１．情報提供システムの構成（第１の実施の形態）］
まず、本発明の第１の実施の形態に係る情報提供システムについて説明する。図１は、本実施の形態に係る情報提供システムの構成を概略的に示す説明図である。
【００２６】
図１において、情報提供システム１００は、移動端末２００と、情報表示装置３００Ａ，３００Ｂ，３００Ｃ…とを備える。移動端末２００は、携帯電話などのユーザが持ち運び可能な携帯端末である。情報表示装置３００Ａ，３００Ｂ，３００Ｃ…は、公共施設や店舗などの商業施設などに設置された液晶ディスプレイなどの情報表示装置である。本実施の形態における情報表示装置３００Ａ，３００Ｂ，３００Ｃ…は、デジタルサイネージシステムにおける映像や情報を表示する情報表示装置である。また、情報表示装置３００Ａ，３００Ｂ，３００Ｃ…は、それぞれ異なる場所に設置されているものとする。また、移動端末２００と、情報表示装置３００Ａ，３００Ｂ，３００Ｃ…とは、互いに無線通信可能に構成されている。
【００２７】
図２は、図１の情報提供システム１００における移動端末２００および情報表示装置３００Ａの機能構成を概略的に示すブロック図である。情報表示装置３００Ａ，３００Ｂ，３００Ｃ…は、基本的に同一の構成を有するため、以下では、情報表示装置３００Ａについてのみ説明を行い、情報表示装置３００Ｂ，３００Ｃ…については説明を省略する。
【００２８】
図２において、情報提供システム１００は、移動端末２００および情報表示装置３００Ａの他に、サーバ４００を備える。サーバ４００は、インターネットなどの通信網５００を介して情報表示装置３００Ａと接続されている。また、サーバ４００は、情報表示装置３００Ａ，３００Ｂ，３００Ｃ…にコンテンツのデータを配信するサーバである。
【００２９】
移動端末２００は、無線通信部２０２と、記憶部２０４と、制御部２０６と、操作部２０８と、バス２１０とを備える。無線通信部２０２、記憶部２０４、制御部２０６および操作部２０８は、バス２１０を介して接続されている。
【００３０】
無線通信部２０２は、本発明の第１の要求部、第１の受信部、第１の送信部の一例であり、例えば、無線ＬＡＮのＢｌｕｅｔｏｏｔｈ（登録商標）技術を利用して無線通信を行う。記憶部２０４は、本発明の第１の記憶部の一例であり、制御部２０６の処理に関するデータや、制御部２０６の動作プログラムなどを記憶する機能を有する。また、記憶部２０４は、情報表示装置３００Ａの後述する表示部３０４Ａに表示されるコンテンツの情報、すなわちコンテンツのＩＤおよびコンテンツのデータの少なくとも一方を記憶可能に構成されている。制御部２０６は、本発明の第１の要求部、第１の受信部、第１の送信部の一例であり、移動端末２００の全体を制御する。操作部２０８は、移動端末２００のユーザによる操作入力を受け付ける。
【００３１】
移動端末２００は、例えば、情報表示装置３００Ａの表示部３０４Ａに表示されているコンテンツのＩＤや、コンテンツのデータを記憶部２０４に登録しておくことが可能なブックマーク機能を有している。例えば、移動端末２００のユーザは、情報表示装置３００Ａの表示部３０４Ａに表示されているコンテンツを気に入ったまたは気になった場合に、操作部２０８を介して当該コンテンツをブックマークするための操作を行うと、移動端末２００は、情報表示装置３００Ａから当該コンテンツのＩＤまたはコンテンツのデータを取得して、取得したコンテンツのＩＤまたはコンテンツのデータを記憶部２０４に記憶する。
【００３２】
情報表示装置３００Ａは、無線通信部３０２Ａと、表示部３０４Ａと、記憶部３０６Ａと、制御部３０８Ａと、通信部３１０Ａと、バス３１２Ａとを備える。無線通信部３０２Ａ、表示部３０４Ａ、記憶部３０６Ａ、制御部３０８Ａおよび通信部３１０Ａは、バス３１２Ａを介して接続されている。
【００３３】
無線通信部３０２Ａは、本発明の第２の送信部、第２の要求部、第２の受信部の一例であり、例えば、無線ＬＡＮのＢｌｕｅｔｏｏｔｈ（登録商標）技術を利用して無線通信を行う。表示部３０４Ａは、本発明の第１の表示部の一例であり、例えば、液晶ディスプレイ（ＬＣＤ）装置、有機ＥＬディスプレイ装置などの映像信号を表示する表示装置と、スピーカなどの音声信号を出力する音声出力装置などからなる。記憶部３０６Ａは、本発明の第２の記憶部の一例であり、制御部３０８Ａの処理に関するデータや、制御部３０８Ａの動作プログラムなどを記憶する機能を有する。記憶部３０６Ａは、表示部３０４Ａに表示させるコンテンツの情報、すなわちコンテンツのＩＤおよびコンテンツのデータの少なくとも一方を記憶可能に構成されている。制御部３０８Ａは、本発明の第２の送信部、第２の要求部、第２の受信部、第１の分析部、第１の変更部の一例であり、情報表示装置３００Ａの全体を制御する。通信部３１０Ａは、通信網５００に接続して、通信網５００に接続されたサーバ４００と通信可能に構成されている。
【００３４】
［２．情報提供処理］
次に、図１の情報提供システムが実行する情報提供処理について説明する。図３は、図１の情報提供システムが実行する情報提供処理のシーケンス図である。
【００３５】
図３において、まず、情報表示装置３００Ａの表示部３０４Ａは、映像や情報などのコンテンツの表示を行う（ステップＳ１０２）。また、情報表示装置３００Ｂの表示部（図示しない）は、映像や情報などのコンテンツの表示を行う（ステップＳ３０２）。本実施の形態では、情報表示装置３００Ａの表示部３０４Ａや情報表示装置３００Ｂの表示部（図示しない）は、それぞれの制御部の制御により、それぞれの記憶部に記憶された１つまたは複数のコンテンツの表示をある順序またはある規則で行うものとする。
【００３６】
そして、移動端末２００のユーザは、ステップＳ１０２で情報表示装置３００Ａの表示部３０４Ａに表示されているコンテンツを気に入るまたは気になると、操作部２０８を介して当該コンテンツを記憶部２０４に登録するためのユーザ操作を行う（ステップＳ２０２）。
【００３７】
次いで、移動端末２００は、ステップＳ２０２でのユーザ操作が行われると、無線通信部２０２は、制御部２０６の制御により、情報表示装置３００ＡにステップＳ１０２で情報表示装置３００Ａの表示部３０４Ａに表示されているコンテンツのＩＤまたはコンテンツのデータを要求する（ステップＳ２０４）。
【００３８】
次いで、情報表示装置３００Ａの無線通信部３０２Ａは、制御部３０８Ａの制御により、移動端末２００にステップＳ２０４で要求されたコンテンツのＩＤまたはコンテンツのデータを送信する（ステップＳ１０４）。
【００３９】
次いで、移動端末２００は、制御部２０６の制御により、ステップＳ１０４で送信されたコンテンツのＩＤまたはコンテンツのデータを記憶部２０４に記憶する（ステップＳ２０６）。
【００４０】
次いで、移動端末２００のユーザは、移動端末２００とともに、情報表示装置３００Ａが設置されている場所から、情報表示装置３００Ｂが設置されている場所へ移動すると（ステップＳ２０８）、情報表示装置３００Ｂの無線通信部（図示しない）は、制御部（図示しない）の制御により、移動端末２００に記憶部２０４に記憶されているコンテンツのＩＤまたはコンテンツのデータを要求する（ステップＳ３０４）。
【００４１】
次いで、移動端末２００の無線通信部２０２は、制御部２０６の制御により、情報表示装置３００ＢにステップＳ３０４で要求された、記憶部２０４に記憶されているコンテンツのＩＤまたはコンテンツのデータを送信する（ステップＳ２１０）。
【００４２】
次いで、情報表示装置３００Ｂは、制御部（図示しない）の制御により、ステップＳ２１０で送信されたコンテンツのＩＤまたはコンテンツのデータを記憶部（図示しない）に記憶する（ステップＳ３０６）。
【００４３】
次いで、情報表示装置３００Ｂの制御部（図示しない）は、後述する図４の第１の表示コンテンツ変更処理、図５の第２の表示コンテンツ変更処理、および図６の第３の表示コンテンツ変更処理の少なくともいずれか１つの表示コンテンツ変更処理を実行して、表示部（図示しない）に表示させるコンテンツを変更する（ステップＳ３０８）。
【００４４】
次いで、情報表示装置３００Ｂの表示部（図示しない）は、制御部（図示しない）の制御により、ステップＳ３０８で変更されたコンテンツの表示を行い（ステップＳ３１０）、本処理を終了する。
【００４５】
図４は、図３の情報提供処理におけるステップＳ３０８で実行される第１の表示コンテンツ変更処理のフローチャートである。
【００４６】
図４において、まず、情報表示装置３００Ｂの制御部（図示しない）は、記憶部（図示しない）に記憶されているコンテンツのＩＤまたはコンテンツのデータの分析を行う（ステップＳ４０２）。例えば、ステップＳ４０２では、記憶部（図示しない）にどのコンテンツのＩＤやデータが他のコンテンツのＩＤやデータと比較して多数記憶されているかなどの分析を行う。
【００４７】
次いで、情報表示装置３００Ｂの制御部（図示しない）は、ステップＳ４０２での分析結果に基づいて、表示部（図示しない）に表示させるコンテンツを変更して（ステップＳ４０４）、本処理を終了する。例えば、ステップＳ４０４では、記憶部（図示しない）に多数記憶されているコンテンツのＩＤやデータに対応するコンテンツを表示部（図示しない）に表示させるコンテンツとする。また、ステップＳ４０４では、記憶部（図示しない）に多数記憶されているコンテンツのＩＤやデータに対応するコンテンツのデータが記憶部（図示しない）に記憶されていないときは、制御部（図示しない）は、通信部（図示しない）を制御してサーバ（図示しない）から当該コンテンツのデータを取得して、取得したコンテンツを表示部（図示しない）に表示させるコンテンツとする。
【００４８】
図４の第１の表示コンテンツ変更処理によれば、情報表示装置３００Ｂの設置場所を利用するユーザの移動端末２００に記憶されているコンテンツのＩＤまたはコンテンツのデータを情報表示装置３００Ｂが取得して、取得したコンテンツのＩＤまたはコンテンツのデータを分析して、分析結果に基づいて表示部（図示しない）に表示させるコンテンツを変更することができるため、実際にその場所を利用するユーザにとって有益なコンテンツを表示部（図示しない）に表示させることができる。
【００４９】
図５は、図３の情報提供処理におけるステップＳ３０８で実行される第２の表示コンテンツ変更処理のフローチャートである。
【００５０】
図５において、まず、情報表示装置３００Ｂの制御部（図示しない）は、記憶部（図示しない）に記憶されているコンテンツのＩＤまたはコンテンツのデータの分析を行う（ステップＳ５０２）。例えば、ステップＳ５０２では、記憶部（図示しない）にどのコンテンツのＩＤやデータが他のコンテンツのＩＤやデータと比較して多数記憶されているかなどの分析を行う。
【００５１】
次いで、情報表示装置３００Ｂの制御部（図示しない）は、ステップＳ５０２での分析結果に基づいて、表示部（図示しない）に表示させるコンテンツの表示頻度を変更して（ステップＳ５０４）、本処理を終了する。例えば、ステップＳ５０４では、記憶部（図示しない）に多数記憶されているコンテンツのＩＤやデータに対応するコンテンツの表示頻度を他のコンテンツの表示頻度と比較して高くする。また、ステップＳ５０４では、記憶部（図示しない）に少数記憶されているコンテンツのＩＤやデータに対応するコンテンツの表示頻度を他のコンテンツの表示頻度と比較して低くする。
【００５２】
図５の第２の表示コンテンツ変更処理によれば、情報表示装置３００Ｂの設置場所を利用するユーザの移動端末２００に記憶されているコンテンツのＩＤまたはコンテンツのデータを情報表示装置３００Ｂが取得して、取得したコンテンツのＩＤまたはコンテンツのデータを分析して、分析結果に基づいて表示部（図示しない）に表示させるコンテンツの表示頻度を変更することができるため、実際にその場所を利用するユーザにとって有益なコンテンツの表示頻度を高めることにより、ユーザによる表示部（図示しない）への注目度を上昇させることができる。
【００５３】
図６は、図３の情報提供処理におけるステップＳ３０８で実行される第３の表示コンテンツ変更処理のフローチャートである。
【００５４】
図６において、まず、情報表示装置３００Ｂの制御部（図示しない）は、記憶部（図示しない）に記憶されているコンテンツのＩＤまたはコンテンツのデータの分析を行う（ステップＳ６０２）。例えば、ステップＳ６０２では、記憶部（図示しない）にどのコンテンツのＩＤやデータが他のコンテンツのＩＤやデータと比較して多数記憶されているかなどの分析を行う。
【００５５】
次いで、情報表示装置３００Ｂの制御部（図示しない）は、ステップＳ６０２での分析結果に基づいて、表示部（図示しない）に表示させるコンテンツの関連コンテンツを表示させるようにして（ステップＳ６０４）、本処理を終了する。例えば、ステップＳ６０４では、記憶部（図示しない）に多数記憶されているコンテンツのＩＤやデータに対応するコンテンツに関連する関連コンテンツを表示させるようにする。また、ステップＳ６０４では、記憶部（図示しない）に多数記憶されているコンテンツのＩＤやデータに対応するコンテンツに関連する関連コンテンツのデータが記憶部（図示しない）に記憶されていないときは、制御部（図示しない）は、通信部（図示しない）を制御してサーバ（図示しない）から当該関連コンテンツのデータを取得して、取得した関連コンテンツを表示部（図示しない）に表示させるようにする。
【００５６】
図６の第３の表示コンテンツ変更処理によれば、情報表示装置３００Ｂの設置場所を利用するユーザの移動端末２００に記憶されているコンテンツのＩＤまたはコンテンツのデータを情報表示装置３００Ｂが取得して、取得したコンテンツのＩＤまたはコンテンツのデータを分析して、分析結果に基づいて表示部（図示しない）に表示させるコンテンツに関連する関連コンテンツにおいても表示部（図示しない）に表示させるようにすることができるため、実際にその場所を利用するユーザによる表示部（図示しない）への注目度をさらに上昇させることができる。
【００５７】
上述したように、図３の情報提供処理によれば、情報表示装置３００Ｂの設置場所を利用するユーザの移動端末２００に記憶されているコンテンツのＩＤまたはコンテンツのデータを情報表示装置３００Ｂが取得して、取得したコンテンツのＩＤまたはコンテンツのデータを分析して、分析結果に基づいて表示部（図示しない）に表示させるコンテンツを変更することができるため、実際にその場所を利用するユーザの流れを意識して、動的に表示コンテンツを変えていくといった最適化を行うことができる。
【００５８】
［３．情報提供システムの構成（第２の実施の形態）］
次に、本発明の第２の実施の形態に係る情報提供システムについて説明する。図７は、本実施の形態に係る情報提供システムの構成を概略的に示す説明図である。
【００５９】
図７において、情報提供システム６００は、移動端末２００と、情報表示装置３００Ａ，３００Ｂ，３００Ｃ…と、サーバ７００とを備える。情報表示装置３００Ａ，３００Ｂ，３００Ｃ…と、サーバ７００とは、インターネットなどの通信網８００を介して接続されている。移動端末２００は、上述した第１の実施の形態における移動端末２００と同様の機能構成を有するため、その説明を省略する。また、情報表示装置３００Ａ，３００Ｂ，３００Ｃ…は、上述した第１の実施の形態における情報表示装置３００Ａ，３００Ｂ，３００Ｃ…と同様の機能構成を有するため、その説明を省略する。サーバ７００は、情報表示装置３００Ａ，３００Ｂ，３００Ｃ…にコンテンツのデータを配信するサーバである。
【００６０】
図８は、図７の情報提供システム６００における移動端末２００、情報表示装置３００Ａ，３００Ｂおよびサーバ７００の機能構成を概略的に示すブロック図である。移動端末２００と、情報表示装置３００Ａとは、上述した第１の実施の形態における移動端末２００、情報表示装置３００Ａと同様の機能構成を有するため、それらの説明を省略する。
【００６１】
図８において、情報表示装置３００Ｂは、無線通信部３０２Ｂと、表示部３０４Ｂと、記憶部３０６Ｂと、制御部３０８Ｂと、通信部３１０Ｂと、バス３１２Ｂとを備える。無線通信部３０２Ｂ、表示部３０４Ｂ、記憶部３０６Ｂ、制御部３０８Ｂおよび通信部３１０Ｂは、バス３１２Ｂを介して接続されている。
【００６２】
無線通信部３０２Ｂは、無線通信部３０２Ａと、同様の機能構成を有し、表示部３０４Ｂは、表示部３０４Ａと、同様の機能構成を有し、記憶部３０６Ｂは、記憶部３０６Ａと、同様の機能構成を有し、制御部３０８Ｂは、制御部３０８Ａと、同様の機能構成を有するため、それらの説明を省略する。
【００６３】
通信部３１０Ｂは、通信網８００に接続して、通信網８００に接続されたサーバ７００と通信可能に構成されている。なお、情報表示装置３００Ａの通信部３１０Ａも、通信網８００に接続して、通信網８００に接続されたサーバ７００と通信可能に構成されている。
【００６４】
サーバ７００は、通信部７０２と、制御部７０４と、記憶部７０６と、バス７０８とを備える。通信部７０２、制御部７０４および記憶部７０６は、バス７０８を介して接続されている。
【００６５】
通信部７０２は、本発明の取得部、提供部の一例であり、通信網８００に接続して、通信網８００に接続された情報表示装置３００Ａ，３００Ｂ，３００Ｃ…と通信可能に構成されている。制御部７０４は、本発明の取得部、第２の分析部、提供部の一例であり、サーバ７００の全体を制御する。記憶部７０６は、制御部７０４の処理に関するデータや、制御部７０４の動作プログラムなどを記憶する機能を有する。また、記憶部７０６は、コンテンツのデータを記憶している。
【００６６】
［４．コンテンツ提供処理］
次に、図７の情報提供システムにおけるサーバ７００が実行するコンテンツ提供処理について説明する。図９は、図７の情報提供システムにおけるサーバ７００が実行するコンテンツ提供処理のフローチャートである。
【００６７】
図９において、まず、サーバ７００の通信部７０２は、制御部７０４の制御により、情報表示装置３００Ａから当該情報表示装置３００Ａの記憶部３０６Ａに記憶されているコンテンツのＩＤまたはコンテンツのデータ、および情報表示装置３００Ａの設置場所を表す場所情報を取得する（ステップＳ７０２）。
【００６８】
次いで、サーバ７００の制御部７０４は、ステップＳ７０２で取得したコンテンツのＩＤまたはコンテンツのデータの分析を行う（ステップＳ７０４）。例えば、ステップＳ７０４では、情報表示装置３００Ａの記憶部３０６ＡにどのコンテンツのＩＤやデータが他のコンテンツのＩＤやデータと比較して多数記憶されているかなどの分析を行う。
【００６９】
次いで、サーバ７００の制御部７０４は、ステップＳ７０４での分析結果、およびステップＳ７０２で取得した場所情報に基づいて、情報表示装置３００Ａの設置場所に近い場所に設置された情報表示装置３００Ｂに提供すべきコンテンツを決定して、サーバ７００の通信部７０２は、制御部７０４の制御により、当該提供すべきコンテンツを情報表示装置３００Ｂに提供して（ステップＳ７０６）、本処理を終了する。
【００７０】
図７のコンテンツ提供処理によれば、サーバ７００は、情報表示装置３００Ａから取得したコンテンツのＩＤまたはコンテンツのデータの分析を行い、当該分析結果および情報表示装置３００Ａから取得した場所情報に基づいて、情報表示装置３００Ａの設置場所に近い場所に設置された情報表示装置３００Ｂに提供すべきコンテンツを決定して、当該コンテンツを情報提供装置３００Ｂに提供することができる。情報表示装置３００Ａの設置場所を利用するユーザは、情報表示装置３００Ａの設置場所に近い情報表示装置３００Ｂの設置場所を利用する可能性が高い。このため、予め情報表示装置３００Ａの設置場所を利用するユーザに人気の高いコンテンツを情報表示装置３００Ｂに提供しておくことにより、ユーザによる情報表示装置３００Ｂの表示部３０４Ｂへの注目度を上昇させることができる。
【００７１】
［５．実施例］
次に、上述した各実施の形態に係る情報提供システム１００，６００の実施例について説明する。図１０は、上述した各実施の形態に係る情報提供システム１００，６００の実施例を説明するための説明図である。
【００７２】
図１０において、まず、図中左上の領域の図に示すように、情報表示装置３００Ａは、デジタルサイネージやパブリックビューイングなどに使用される街頭の情報表示装置であり、映像コンテンツを流しているものとする。それを見て内容が気に入ったまたは気になった移動端末２００のユーザは、移動端末２００のブックマーク機能を利用して、移動端末２００にそのコンテンツを登録する操作を行う。当該操作が行われた移動端末２００は、無線通信によって情報表示装置３００Ａから当該コンテンツのＩＤまたはコンテンツのデータを取得する。そして、移動端末２００のユーザは、例えば帰宅した後に、移動端末２００にブックマークとして登録したコンテンツのデータ、またはコンテンツのＩＤに基づいて取得したコンテンツのデータを楽しむこともできる。
【００７３】
次いで、図中右上の領域の図に示すように、情報表示装置３００Ｂは、映像コンテンツを流すのと並行して、「すれ違い通信」のようなユーザに特別な操作を求めない無線通信によって情報表示装置３００Ｂの近くに存在するまたは近くを通過する移動端末２００の記憶部２０４に記憶されているコンテンツのＩＤまたはコンテンツのデータを取得している。そして、情報表示装置３００Ｂは取得したコンテンツのＩＤまたはコンテンツのデータを蓄積して分析することにより、その設置場所の近くを通過するユーザによくブックマークされているコンテンツが何かという統計情報を得ることができる。
【００７４】
次いで、図中右下の領域の図に示すように、情報表示装置３００Ｂは、上述したコンテンツのＩＤまたはコンテンツのデータの分析結果に基づいて、その設置場所の近くを通過するユーザによくブックマークされているコンテンツが何かを導き出すと、導き出したコンテンツの表示頻度を他のコンテンツの表示頻度と比較して高くする。また、情報表示装置３００Ｂは、導き出したコンテンツがそれまでに表示していなかったコンテンツであるときは、当該コンテンツを取得して当該コンテンツの表示を開始する。
【００７５】
そして、図中左下の領域の図に示すように、上述した一連の流れを繰り返すことにより、各地の街頭の情報表示装置に流れるコンテンツは、その土地を利用するユーザの好みが反映されたものとなっていく。これにより、情報表示装置がコンテンツを流すことによる宣伝効果がより高まるとともに、その土地のユーザの好みなどの情報を収集することができる。
【００７６】
上述した情報提供システム１００，６００によれば、その土地を利用するユーザの好みの統計を反映することで、よりその場所に適したコンテンツが表示されるようになる。これにより、「見る価値がある」コンテンツが表示されている可能性が高いため、ユーザによる情報表示装置３００Ａなどへの注目度が上昇して、情報表示装置Ａなどを見るユーザが増加するという利点がある。
【００７７】
また、上述した情報提供システム１００，６００によれば、あるコンテンツに関心のあるセグメントの「ユーザの流れ」の情報を収集することができる。これにより、収集した情報は、そのコンテンツに関連のある店舗やサービスのエリア展開などにおいて有益となる。
【００７８】
また、上述した情報提供システム１００，６００によれば、情報表示装置３００Ａなどで取得した移動端末２００におけるお気に入り登録などのコンテンツのＩＤまたはコンテンツのデータにより、コンテンツの視聴率の計算を行うなどをすることにより、情報表示装置３００Ａなどにおけるコンテンツの表示の効果を測定することが可能であるという利点がある。
【００７９】
また、上述した情報提供システム１００，６００によれば、移動端末２００が情報を発信したり受信したりする際に、パブリックな情報表示装置３００Ａなどを介することにより、純粋な個体個のような情報交換と比較して、匿名性を保ちやすくなり、情報表示装置３００Ａなどが多数の情報を収集しやすくできるという利点がある。
【００８０】
また、本発明の目的は、上述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００８１】
この場合、記憶媒体から読み出されたプログラムコード自体が上述した各実施の形態の機能を実現することになり、そのプログラムコード及び該プログラムコードを記憶した記憶媒体は本発明を構成することになる。
【００８２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００８３】
また、コンピュータが読み出したプログラムコードを実行することにより、上述した各実施の形態の機能が実現されるだけではなく、そのプログラムコードの指示に基づき、コンピュータ上で稼動しているＯＳ（オペレーティングシステム）等が実際の処理の一部または全部を行い、その処理によって上述した各実施の形態の機能が実現される場合も含まれる。
【００８４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって上述した各実施の形態の機能が実現される場合も含まれる。
【００８５】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８６】
１００    情報提供システム
２００    移動端末
２０２    無線通信部
２０４    記憶部
２０６    制御部
２０８    操作部
２１０    バス
３００Ａ，３００Ｂ，３００Ｃ    情報表示装置
３０２Ａ，３０２Ｂ    無線通信部
３０４Ａ，３０４Ｂ    表示部
３０６Ａ，３０６Ｂ    記憶部
３０８Ａ，３０８Ｂ    制御部
３１０Ａ，３１０Ｂ    通信部
３１２Ａ，３１２Ｂ    バス
４００    サーバ
５００    通信網
６００    情報提供システム
７００    サーバ
７０２    通信部
７０４    制御部
７０６    記憶部
７０８    バス
８００    通信網
【図１】
2011233095.tif 000003
【図２】
2011233095.tif 000004
【図３】
2011233095.tif 000005
【図４】
2011233095.tif 000006
【図５】
2011233095.tif 000007
【図６】
2011233095.tif 000008
【図７】
2011233095.tif 000009
【図８】
2011233095.tif 000010
【図９】
2011233095.tif 000011
【図１０】
2011233095.tif 000012